(57)【要約】【課題】本発明は、コンクリート壁の施工と並行してコンクリートスラブを施工可能にしつつ、コンクリート壁の施工性を向上することを目的とする。【解決手段】構造物１０は、一対の柱２０と、一対の柱２０の間に設けられるコンクリート壁３０と、コンクリート壁３０の上方で一対の柱２０に架設される梁４０と、一対の柱２０からコンクリート壁３０の面外方向へ突出する一対のブラケット５０と、一対のブラケットに架設される受け梁８０と、を備える。【選択図】図１
2018053654.tif 000002
【特許請求の範囲】
【請求項１】
一対の柱と、
前記一対の柱の間に設けられるコンクリート壁と、
前記コンクリート壁の上方で前記一対の柱に架設される梁と、
前記一対の柱から前記コンクリート壁の面外方向へ突出する一対のブラケットと、
前記一対のブラケットに架設される受け梁と、
を備える構造物。
【請求項２】
前記柱は、前記ブラケットが設けられたプレキャストコンクリートで形成される、
請求項１に記載の構造物。
【発明の詳細な説明】
【技術分野】
【０００１】
本発明は、構造物に関する。
【背景技術】
【０００２】
プレキャスト柱部材の側面に設けられ、プレキャスト梁部材の端部を支持する梁受け用のブラケットが知られている（例えば、特許文献１，２参照）。
【先行技術文献】
【特許文献】
【０００３】
【特許文献１】特開平８−１５８４７２号公報
【特許文献２】特開２００７−０９２３５４号公報
【発明の概要】
【発明が解決しようとする課題】
【０００４】
ところで、一対の柱の間にコンクリート壁を施工する場合、一般に、一対の柱に梁を架設してから、一対の柱の間にコンクリート壁用のコンクリートを打設する。この施工方法では、一対の柱に架設された梁に、小梁やデッキプレート等を支持させることができるため、コンクリート壁の施工と並行して、コンクリートスラブを施工することができる。
【０００５】
しかしながら、上記の施工方法では、一対の柱に梁を架設してから、コンクリート壁を施工するため、梁が障害となり、コンクリート壁の施工性が低下する可能性がある。
【０００６】
本発明は、上記の事実を考慮し、コンクリート壁の施工と並行してコンクリートスラブを施工可能にしつつ、コンクリート壁の施工性を向上することを目的とする。
【課題を解決するための手段】
【０００７】
請求項１に記載の構造物は、一対の柱と、前記一対の柱の間に設けられるコンクリート壁と、前記コンクリート壁の上方で前記一対の柱に架設される梁と、前記一対の柱から前記コンクリート壁の面外方向へ突出する一対のブラケットと、前記一対のブラケットに架設される受け梁と、を備える。
【０００８】
請求項１に係る構造物によれば、一対の柱の間には、コンクリート壁が設けられる。また、一対の柱には、梁が架設される。この梁は、コンクリート壁の上方で、一対の柱に架設される。
【０００９】
ここで、一対の柱には、一対のブラケットが設けられる。一対のブラケットは、一対の柱からコンクリート壁の面外方向へ突出する。この一対のブラケットには、受け梁が架設される。これにより、一対の柱に梁を架設する前に、受け梁によって小梁やデッキプレート、若しくはプレキャスト床版を支持することができる。したがって、コンクリート壁の施工と並行して、受け梁によって支持された小梁等の上にコンクリートスラブを施工することができる。
【００１０】
さらに、本発明では、一対の柱に梁を架設する前に、コンクリート壁を施工することができる。したがって、コンクリート壁の施工時に、梁が障害にならないため、コンクリート壁の施工性が向上する。
【００１１】
このように本発明では、コンクリート壁の施工と並行してコンクリートスラブを施工可能にしつつ、コンクリート壁の施工性を向上することができる。
【００１２】
請求項２に記載の構造物は、請求項１に記載の構造物において、前記柱は、前記ブラケットが設けられたプレキャストコンクリートで形成される。
【００１３】
請求項２に係る構造物によれば、柱は、プレキャストコンクリートで形成される。これにより、本発明では、現場打ちコンクリートで柱を形成する場合と比較して、工期を短縮することができる。
【００１４】
また、柱をプレキャストコンクリートで形成することにより、柱を建て方する前に、当該柱にブラケットを設けることができる。したがって、本発明では、柱を建て方した後に、柱にブラケットを設ける場合と比較して、工期を短縮することができる。
【発明の効果】
【００１５】
以上説明したように、本発明に係る構造物によれば、コンクリート壁の施工と並行してコンクリートスラブを施工可能にしつつ、コンクリート壁の施工性を向上することを目的とする。
【図面の簡単な説明】
【００１６】
【図１】図１は、本発明の一実施形態に係る構造物の所定階を示す平面図である。
【図２】図２は、図１に示される構造物の所定階の施工過程を示す図１に相当する平面図である。
【図３】図３は、図１の３−３線断面図である。
【図４】図４は、図１の４−４線断面図である。
【図５】図５は、図１に示されるコンクリートスラブの施工過程を示す図４に相当する断面図である。
【図６】図６は、本発明の一実施形態に係る構造物の変形例を示す図２に相当する断面図である。
【図７】図７は、本発明の一実施形態に係る構造物の変形例を示す図２に相当する断
【図８】図８は、本発明の一実施形態におけるブラケットの変形例を示す平面図である。
【図９】図９は、図８の９−９線断面図である。面図である。
【発明を実施するための形態】
【００１７】
以下、図面を参照しながら、一実施形態に係る構造物について説明する。
【００１８】
（構造物の構成）
先ず、本実施形態に係る構造物の構成について説明する。
【００１９】
図１には、本実施形態に係る構造物１０の所定階が、平面視にて示されている。この構造物１０は、一対の柱２０と、コンクリート壁３０と、梁４０（図３参照）と、一対のブラケット５０と、受け梁８０と、コンクリートスラブ７０とを有している。
【００２０】
一対の柱２０は、プレキャストコンクリートで形成されている。つまり、一対の柱２０は、プレキャストコンクリート製とされており、例えば、工場等で製作されている。各柱２０は、角柱状に形成されており、内部に図示しない複数の柱主筋及びせん断補強筋が適宜埋設されている。また、一対の柱２０は、構造物１０の外周に配置される外周柱とされている。
【００２１】
一対の柱２０には、後述する梁４０（図３参照）が架設されている。この一対の柱２０及び梁４０によって架構が構成されている。また、一対の柱２０及び梁４０によって構成された架構の構面には、コンクリート壁３０が設けられている。
【００２２】
コンクリート壁３０は、例えば、鉄筋コンクリートで形成されており、構造物１０の外壁を構成している。このコンクリート壁３０は、一対の柱２０の間に、現場打ちコンクリートを打設することにより形成されている。また、コンクリート壁３０の壁厚Ｔは、一対の柱２０の幅Ｗ１と略同じとされている。これにより、一対の柱２０の柱形が現れない構成とされている。
【００２３】
なお、コンクリート壁３０の壁厚Ｔを柱２０の幅Ｗ１よりも薄くし、柱２０の柱形が現れるように構成しても良い。
【００２４】
図２に示されるように、コンクリート壁３０の内部には、一対のユニット鉄筋３２が埋設される。各ユニット鉄筋３２は、複数の壁筋３２Ａ（縦筋及び横筋）を有している。また、ユニット鉄筋３２は、例えば、工場やサイトヤード等において、複数の壁筋３２Ａを組み立てることにより形成されている。
【００２５】
なお、コンクリート壁３０には、ユニット化されていない一般的な壁筋を埋設することも可能である。
【００２６】
図３に示されるように、梁４０は、コンクリート壁３０の上方で、かつ、コンクリート壁３０の上端部に沿って一対の柱２０に架設されている。この梁４０は、鉄筋コンクリートで形成されている。また、図４に示されるように、梁４０の幅Ｗ２は、コンクリート壁３０の壁厚Ｔと略同じとされている。これにより、梁４０の梁形が表れてない構成とされている。換言すると、梁４０は、壁梁とされている。また、梁４０は、構造物１０の外周に配置される外周梁とされている。
【００２７】
なお、コンクリート壁３０の壁厚Ｔを梁４０の幅Ｗ２よりも薄くし、梁４０の梁形が現れるように構成しても良い。
【００２８】
ここで、図１に示されるように、一対の柱２０には、ブラケット５０が一体に設けられている。各ブラケット５０は、柱２０からコンクリート壁３０の面外方向（矢印Ｘ方向）の一方側へ突出している。より具体的には、ブラケット５０は、柱２０の室内側の側面２０Ｓから、コンクリート壁３０の面外方向（壁厚方向）の室内側へ突出している。なお、ブラケット５０は、柱２０における梁４０との柱梁仕口部２０Ｊ（図３参照）に設けられている。
【００２９】
図３に示されるように、ブラケット５０は、Ｈ形鋼で形成されている。このブラケット５０は、上下一対のフランジ部５０Ａと、上下一対のフランジ部５０Ａ同士を接続するウェブ部５０Ｂとを有している。また、ブラケット５０の一端部５０Ｔ１は、柱２０に埋設されている。一方、ブラケット５０の他端部５０Ｔ２は、柱２０の側面２０Ｓから突出している。このブラケット５０の他端部５０Ｔ２には、大梁６０が接合されている。なお、ブラケット５０は、Ｈ形鋼に限らず、例えば、Ｔ形鋼等であっても良い。
【００３０】
大梁６０は、一端部６０Ｔ１がブラケット５０に接合されるとともに、図示しない他端部が他の柱に接合されている。また、図４に示されるように、大梁６０は、Ｈ形鋼で形成されている。この大梁６０は、上下一対のフランジ部６０Ａと、フランジ部６０Ａ同士を接続するウェブ部６０Ｂとを有している。この大梁６０の一端部は、例えば、ブラケット５０の他端部５０Ｔ２に溶接やボルト等によって接合されている。
【００３１】
図１に示されるように、一対のブラケット５０には、受け梁８０が架設されている。受け梁８０は、梁４０の代わりに、小梁９０及びコンクリートスラブ７０用のデッキプレート７２を支持するものである。
【００３２】
図４に示されるように、受け梁８０は、Ｈ形鋼で形成されている。この受け梁８０は、上下一対のフランジ部８０Ａと、上下一対のフランジ部８０Ａ同士を接続するウェブ部８０Ｂとを有している。また、受け梁８０の両端部は、溶接やボルト等によってブラケット５０に接合されている。この受け梁８０は、コンクリート壁３０の面外方向（矢印Ｘ方向）に梁４０と対向して配置されている。
【００３３】
図１に示されるように、受け梁８０の材軸方向の中間部８０Ｍには、小梁９０の一端部９０Ｔ１が接合されている。小梁９０は、ブラケット５０及び大梁６０と略平行して配置されている。これらの小梁９０、ブラケット５０、及び大梁６０の上に、コンクリートスラブ７０が構築されている。
【００３４】
図３に示されるように、小梁９０は、例えば、Ｈ形鋼とされる。この小梁９０は、上下一対のフランジ部９０Ａと、上下一対のフランジ部９０Ａ同士を接続するウェブ部９０Ｂとを有している。
【００３５】
図４に示されるように、コンクリートスラブ７０は、複数のデッキプレート７２と、これらのデッキプレート７２と一体化されたコンクリート部７４とを有する合成スラブとされている。デッキプレート７２は、フラットデッキとされている。各デッキプレート７２は、小梁９０とブラケット５０、若しくは小梁９０と大梁６０とに亘って配置されており、これらの小梁９０、ブラケット５０、大梁６０に支持されている。なお、デッキプレート７２は、波形形状等であっても良い。
【００３６】
図５に示されるように、コンクリートスラブ７０のコンクリート部７４には、複数のスラブ筋７６，７８が水平二方向に適宜埋設されている。また、複数のスラブ筋７６，７８のうち、一部のスラブ筋７８の端部７８Ａは、一対の柱２０の間に延出している。また、複数のスラブ筋７８のうち、一部のスラブ筋７８の端部７８Ａは、Ｌ字状に屈曲されている。
【００３７】
（構造物の施工方法）
次に、本実施形態の構造物の施工方法の一例について説明する。
【００３８】
先ず、図２に示されるように、ブラケット５０が予め設けられた一対の柱２０を立てる。次に、ブラケット５０の他端部５０Ｔ２に大梁６０の一端部６０Ｔ１を接合する。この際、大梁６０の他端部は、図示しない柱に接合する。
【００３９】
次に、一対のブラケット５０に受け梁８０を架設する。次に、受け梁８０の中間部８０Ｍに、小梁９０の一端部９０Ｔ１を接合する。この際、小梁９０の図示しない他端部は、図示しない梁等に接合する。なお、受け梁８０の施工は、大梁６０の施工に前後して、又は大梁６０の施工と並行して行っても良い。
【００４０】
次に、ブラケット５０と小梁９０、又は大梁６０と小梁９０との間に、複数のデッキプレート７２（図１参照）を架設する。次に、図５に示されるように、デッキプレート７２の上に、複数のスラブ筋７６，７８を適宜配筋する。この際、一部のスラブ筋７６，７８の端部７８Ａを一対の柱２０の間に配置する。
【００４１】
次に、図２に示されるように、一対の柱２０の間に、コンクリート壁３０（図１参照）用のユニット鉄筋３２を設置する。また、一対の柱２０の間に、図示しない梁４０用の鉄筋（梁主筋及びせん断補強筋など）を適宜配筋する。さらに、一対の柱２０の周囲に、コンクリート壁３０及び梁４０用の型枠を適宜仮設する。
【００４２】
次に、複数のデッキプレート７２上に、コンクリートスラブ７０用のコンクリートを打設し、コンクリート部７４を形成する。この際、一対の柱２０の間にもコンクリートを打設する。これにより、コンクリート壁３０、梁４０、及びコンクリートスラブ７０を一体に形成する。その後、コンクリート壁３０及び梁４０用の型枠を脱型する。
【００４３】
（作用及び効果）
次に、本実施形態の作用及び効果について説明する。
【００４４】
本実施形態によれば、一対の柱２０は、プレキャストコンクリートで形成されている。この一対の柱２０には、一対のブラケット５０が一体に設けられている。一対のブラケット５０は、一対の柱２０の側面２０Ｓからコンクリート壁３０の面外方向の一方側（室内側）へ突出している。この一対のブラケット５０には、受け梁８０が架設されている。
【００４５】
これにより、一対の柱２０に梁４０を架設する前に、受け梁８０によって小梁９０及びデッキプレート７２を支持することができる。したがって、本実施形態では、コンクリートスラブ７０と、コンクリート壁３０及び梁４０とを一体に施工することができる。
【００４６】
ここで、比較例として、例えば、一対の柱２０の間に梁４０を施工してから一対の柱２０の間にコンクリート壁３０を施工する場合は、梁４０に小梁９０及びデッキプレート７２を支持させることができる。そのため、コンクリート壁３０の施工と並行して、コンクリートスラブ７０を施工することができる。
【００４７】
しかしながら、一対の柱２０の間に梁４０を施工してから一対の柱２０の間にコンクリート壁３０を施工する場合は、コンクリート壁３０を施工する際に、梁４０が障害となり、コンクリート壁の施工性が低下する可能性がある。より具体的には、例えば、一対の柱２０の間に、コンクリート壁３０用のユニット鉄筋３２や型枠を設置したり、この型枠内にコンクリートを打設する際に梁４０が障害となり、その施工に手間がかかる可能性がある。
【００４８】
これに対して本実施形態では、前述したように、一対の柱２０の間に、コンクリート壁３０及び梁４０を一体に施工する。そのため、一対の柱２０の間に、コンクリート壁３０用のユニット鉄筋３２を設置する際には、梁４０が存在しない。したがって、一対の柱２０の間にユニット鉄筋３２を設置する際に、梁４０が障害にならないため、コンクリート壁３０の施工性が向上する。
【００４９】
このように本実施形態では、コンクリート壁３０、梁４０、及びコンクリートスラブ７０を一体に施工することができ、さらにコンクリート壁３０の施工性も向上させることができる。
【００５０】
また、前述したように、一対の柱２０がプレキャストコンクリートで形成されている。これにより、本実施形態では、一対の柱２０を現場打ちコンクリートで形成する場合と比較して、工期を短縮することができる。
【００５１】
さらに、一対の柱２０をプレキャストコンクリートで形成することにより、一対の柱２０を建て方する前に、一対の柱２０にブラケット５０を設けることができる。したがって、本実施形態では、一対の柱２０を建て方した後に、各柱２０にブラケット５０を設ける場合と比較して、工期を短縮することができる。
【００５２】
また、本実施形態では、コンクリートスラブ７０のスラブ筋７８の端部７８Ａ（図５参照）が、一対の柱２０の間へ延出している。したがって、コンクリートスラブ７０と、梁４０やコンクリート壁３０との一体性を高めることができる。
【００５３】
次に、上記実施形態の変形例について説明する。
【００５４】
図６に示されるように、ブラケット５０の一端部５０Ｔ１には、上階の柱２２の柱脚部を接合しても良い。具体的には、ブラケット５０の一端部５０Ｔ１の上には、鉄骨造の柱２２が立てられている。柱２２は、例えば、Ｈ形鋼等で形成されており、ブラケット５０を介して柱２０の上に立てられている。
【００５５】
柱２２の下端部には、ベースプレート２４が接合されている。このベースプレート２４は、ブラケット５０の上側のフランジ部５０Ａにボルト２６等によって接合されている。なお、柱２２の柱脚部は、溶接等によってブラケット５０の一端部５０Ｔ１に接合しても良い。
【００５６】
柱２０には、上方へ突出する複数のアンカー筋２８が埋設されている。複数のアンカー筋２８は、柱２２の柱脚部の周囲に配置されるとともに、コンクリートスラブ７０に埋設されている。この複数のアンカー筋２８及びコンクリートスラブ７０を介して、柱２０と、その上に立てられた柱２２とが接合されている。
【００５７】
また、図７には、コンクリートスラブ７０用のコンクリートを２回に分けて打設する場合の変形例が示されている。この変形例では、コンクリートスラブ７０のコンクリート部７４は、第一打設部７４Ａと、第二打設部７４Ｂとを有している。
【００５８】
第一打設部７４Ａは、デッキプレート７２の上にコンクリートを打設することにより形成されている。また、第二打設部７４Ｂは、第一打設部７４Ａ上にコンクリートを打設することにより形成されている。なお、第一打設部７４Ａ及び第二打設部７４Ｂには、図示しないスラブ筋が適宜埋設されている。
【００５９】
ここで、第一打設部７４Ａの上面には、柱２２が設置されている。この柱２２のベースプレート２４は、アンカーボルト２９によって第一打設部７４Ａに固定されている。また、柱２２の柱脚部は、第二打設部７４Ｂに埋設されている。
【００６０】
このようにコンクリートスラブ７０用のコンクリートを２回に分けて打設する場合には、例えば、柱２２の柱脚部を第一打設部７４Ａに固定するとともに、当該柱脚部を第二打設部７４Ｂに埋設する。これにより、コンクリートスラブ７０及びアンカーボルト２９を介して、柱２０と、その上階の柱２２とを接合することができる。
【００６１】
また、上記実施形態では、ブラケット５０が柱２０に一体に設けられるが、上記実施形態これに限らない。例えば、図８及び図９に示されるブラケット５２は、取付部材５４を介して柱２０に設けられている。取付部材５４は、平面視にてＴ字状に形成されている。この取付部材５４は、ベースプレート５４Ａと、ガセットプレート５４Ｂとを有している。
【００６２】
ベースプレート５４Ａは、柱２０の側面２０Ｓに沿って配置されており、アンカーボルト５６によって柱２０に固定されている。また、ベースプレート５４Ａと柱２０の側面２０Ｓとの隙間には、モルタル等の充填材５８が充填されている。
【００６３】
ガセットプレート５４Ｂは、ベースプレート５４Ａから延出している。このガセットプレート５４Ｂにブラケット５２のウェブ部５２Ｂがボルト等によって接合されている。なお、符号５２Ａは、ブラケット５２のフランジ部である。また、符号５９は、受け梁８０用のガセットプレートである。
【００６４】
取付部材５４は、柱２０の製作時に柱２０に一体に設けられる。この取付部材５４には、柱２０を立てた後にブラケット５２が取り付けられ、又は柱２０を立てる前にブラケット５２が取り付けられる。なお、取付部材５４の形状は、平面視にてＴ字状に限らず、適宜変更可能である。
【００６５】
次に、上記実施形態では、コンクリート壁３０、梁４０、及びコンクリートスラブ７０を一体に施工したが、上記実施形態はこれに限らない。例えば、コンクリート壁３０とコンクリートスラブ７０とを並行して施工した後に、梁４０を施工しても良い。また、例えば、コンクリート壁３０と梁４０とを一体に又は並行して施工した後に、コンクリートスラブ７０を施工しても良い。さらに、コンクリート壁３０、梁４０、及びコンクリートスラブ７０を別々に施工することも可能である。
【００６６】
また、上記実施形態では、受け梁８０に１本の小梁９０を接合したが、受け梁８０には、複数の小梁９０を接合しても良い。また、小梁９０を省略することも可能である。
【００６７】
さらに、上記実施形態では、受け梁８０にデッキプレート７２を支持させたが、上記実施形態はこれに限らない。受け梁８０には、コンクリートスラブ７０用の在来型枠を支持させても良い。また、コンクリートスラブをフルプレキャスト床版やハーフプレキャスト床版で形成する場合には、受け梁８０にフルプレキャスト床版やハーフプレキャスト床版を支持させても良い。
【００６８】
つまり、受け梁８０には、コンクリートスラブ７０を構成するスラブ構成部材、及びコンクリートスラブ７０を支持するためのスラブ支持部材の少なくとも一方を支持させることができる。なお、スラブ構成部材としては、デッキプレートや、フルプレキャスト床版、ハーフプレキャスト床版等が挙げられる。また、スラブ支持部材としては、小梁９０や在来型枠等が挙げられる。
【００６９】
また、上記実施形態では、一対の柱２０がプレキャストコンクリートで形成されるが、一対の柱２０は、現場打ちコンクリートで形成しても良い。また、一対の柱２０は、鉄骨鉄筋コンクリートで形成されても良いし、鉄骨等で形成されても良い。
【００７０】
また、上記実施形態では、梁４０が現場打ちコンクリートで形成されるが、梁４０は、プレキャストコンクリートで形成しても良い。また、梁４０は、鉄筋コンクリートに限らず、例えば、鉄骨鉄筋コンクリートや鉄骨で形成しても良い。
【００７１】
また、上記実施形態では、大梁６０、受け梁８０、及び小梁９０がＨ形鋼で形成されるが、上記実施形態はこれに限らない。大梁６０、受け梁８０、及び小梁９０は、例えば、Ｉ形鋼、Ｔ形鋼、Ｃ形鋼等の形鋼や、ボックス鋼によって形成しても良い。また、大梁６０、受け梁８０、及び小梁９０は、鉄骨に限らず、鉄筋コンクリートや、鉄骨鉄筋コンクリートによって形成しても良い。
【００７２】
また、上記実施形態では、コンクリート壁３０が構造物１０の外壁とされるが、コンクリート壁３０は、構造物１０の内壁とされても良い。
【００７３】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００７４】
１０  構造物
２０  柱
３０  コンクリート壁
４０  梁
５０  ブラケット
５２  ブラケット
【図１】
2018053654.tif 000003
【図２】
2018053654.tif 000004
【図３】
2018053654.tif 000005
【図４】
2018053654.tif 000006
【図５】
2018053654.tif 000007
【図６】
2018053654.tif 000008
【図７】
2018053654.tif 000009
【図８】
2018053654.tif 000010
【図９】
2018053654.tif 000011